(57)【要約】【課題】牽引車両によって牽引されて移動することを前提にしつつ、看板を設けることができること。【解決手段】本発明に係るトレーラーハウス１は、下面にタイヤ２１を備えており牽引車両から外された状態のトレーラー２と、トレーラー２上を覆うハウジング３とを具備しており、ハウジング３は、正面Ｆと正面Ｆに対向する背面Ｂとを有しており、ハウジング３には、正面Ｆ側から表示面５１Ａを見ることができる正面側看板５１が設けられており、正面側看板５１は、ハウジング３に収容されるように構成されている。【選択図】図２
2017081494.tif 000002
【特許請求の範囲】
【請求項１】
下面にタイヤを備えており牽引車両から外された状態のトレーラーと、前記トレーラー上を覆うハウジングとを具備するトレーラーハウスであって、
前記ハウジングは、正面と、前記正面に対向する背面とを有しており、
前記ハウジングには、前記正面側から表示面を見ることができる正面側看板が設けられており、
前記正面側看板は、前記ハウジングに収容されるように構成されていることを特徴とするトレーラーハウス。
【請求項２】
前記正面側看板は、前記背面側に折り畳まれることによって前記ハウジングの天井面に収容されるように構成されていることを特徴とする請求項１に記載のトレーラーハウス。
【請求項３】
前記ハウジングには、前記背面側から表示面を見ることができる背面側看板が設けられており、
前記背面側看板は、前記ハウジングに収容されるように構成されていることを特徴とする請求項１又は２に記載のトレーラーハウス。
【請求項４】
前記背面側看板は、前記正面側に折り畳まれることによって前記ハウジングの天井面に収容されるように構成されていることを特徴とする請求項３に記載のトレーラーハウス。
【発明の詳細な説明】
【技術分野】
【０００１】
本発明は、トレーラーハウスに関する。
【背景技術】
【０００２】
従来、下面にタイヤを備えており牽引車両から外された状態のトレーラーと、かかるトレーラー上を覆うハウジングとを具備するトレーラーハウス（具体的には、トレーラーハウスを用いたコインランドリー）が知られている（例えば、特許文献１参照）。
【先行技術文献】
【特許文献】
【０００３】
【特許文献１】特開２００６-２４０３４２号公報
【発明の概要】
【発明が解決しようとする課題】
【０００４】
しかしながら、上述のような従来のトレーラーハウスを用いたコインランドリー等では、牽引車両によって牽引されて移動することを前提に考えられているため、特許文献１に示すように、看板を設けることが想定されていなかった。すなわち、公道にはトンネル等が設けられているため、公道を移動することができるトレーラーハウスの高さには制限があることから、トレーラーハウスに看板を設けるということは想定されていなかった。
【０００５】
そこで、本発明は、上述の課題に鑑みてなされたものであり、牽引車両によって牽引されて移動することを前提にしつつ、看板を設けることができるトレーラーハウスを提供することを目的とする。
【課題を解決するための手段】
【０００６】
本発明の第１の特徴は、下面にタイヤを備えており牽引車両から外された状態のトレーラーと、前記トレーラー上を覆うハウジングとを具備するトレーラーハウスであって、前記ハウジングは、正面と、前記正面に対向する背面とを有しており、前記ハウジングには、前記正面側から表示面を見ることができる正面側看板が設けられており、前記正面側看板は、前記ハウジングに収容されるように構成されていることを要旨とする。
【発明の効果】
【０００７】
本発明によれば、牽引車両によって牽引されて移動することを前提にしつつ、看板を設けることができるトレーラーハウスを提供することができる。
【図面の簡単な説明】
【０００８】
【図１】本発明の一実施形態に係るトレーラーハウスの外観の一例を説明するための図である。
【図２】本発明の一実施形態に係るトレーラーハウスの左側面図（看板が立てられている状態）の一例である。
【図３】本発明の一実施形態に係るトレーラーハウスの左側面図（看板が収容されている状態）の一例である。
【図４】本発明の一実施形態に係るトレーラーハウスを天井面側から見た図（看板が立てられている状態）の一例である。
【図５】図４における部分Ｘ１の拡大図である。
【図６】図４における部分Ｘ２の拡大図である。
【発明を実施するための形態】
【０００９】
以下、図１〜図６を参照して、本発明の一実施形態に係るトレーラーハウス１について説明する。
【００１０】
本実施形態に係るトレーラーハウス１は、図１に示すように、下面にタイヤ２１を備えており牽引車両（図示せず）から外された状態のトレーラー２と、トレーラー２上を覆うハウジング３とを具備している。
【００１１】
なお、本実施形態では、トレーラーハウス１は、コインランドリーとして稼働することが想定されているが、本発明は、かかるケースに限定されるものではなく、トレーラーハウス１が他の用途として用いられるケースにも適用可能である。
【００１２】
したがって、本実施形態では、図１に示すように、ハウジング３内には、ランドリー設備４が設けられている。例えば、かかるランドリー設備４としては、洗濯機（スニーカー用洗濯機や布団用洗濯機等を含む）や乾燥機や乾燥洗濯機等が挙げられる。
【００１３】
ここで、かかるランドリー設備４は、コインの投入によって起動されるように構成されていてもよいし、プリペードカードやクレジットカードやデビットカード等によって起動されるように構成されていてもよいし、携帯電話等の通信端末にインストールされたアプリケーションによって起動されるように構成されていてもよい。
【００１４】
ここで、ハウジング３は、図１〜図４に示すように、側壁面３１〜３４と、天井面３５と、床面３６とを有している。側壁面３１は、ハウジング３の正面を形成し、側壁面３２は、ハウジング３の背面を形成し、側壁面３３は、ハウジング３の右側面を形成し、側壁面３４は、ハウジング３の左側面を形成する。例えば、床面３６は、合板の上に、フローリング等の耐水性の床材が積層された構造になっている。
【００１５】
本実施形態に係るトレーラーハウス１では、図１に示すように、トレーラー２の下面に、８本のタイヤ２１が備えられている。なお、トレーラー２の下面に備えられているタイヤ２１の数は、８本に限られず、トレーラー２の大きさ等に応じて任意の数のタイヤ２１が備えられていてもよい。
【００１６】
また、本実施形態に係るトレーラーハウス１では、トレーラー２の右側端部に、牽引車両と連結するための連結部（図示せず）が設けられている。なお、かかる連結部は、トレーラー２の左側端部に設けられていてもよい。
【００１７】
さらに、図１に示すように、本実施形態に係るトレーラーハウス１が、コインランドリーとして稼働している場合には、トレーラー２の下面が、複数のジャッキ５によって下方から支持されるように構成されていてもよい。一方、本実施形態に係るトレーラーハウス１が、牽引車両によって移動される場合には、かかるジャッキ５は外されるように構成されていてもよい。
【００１８】
天井面３５は、水平面に対して傾斜するように構成されていてもよい。かかる構成によれば、天井面３５に雨水等が溜まってしまうという事態を回避することができる。例えば、天井面３５は、水平面に対して５.５°〜９.０°の範囲で傾斜するように構成されていてもよい。ここで、天井面３５の水平面に対する傾斜角度が５.５°未満である場合、雨水等が上手く天井面３５から流れずに溜まってしまう。一方、天井面３５の水平面に対する傾斜角度が９.０よりも大きい場合、天井面３５を構成するために必要な材料の量が飛躍的に増加してしまう。
【００１９】
また、本実施形態では、図１〜図３に示すように、ハウジング３には、正面側Ｆから表示面５１Ａを見ることができる正面側看板５１が設けられている。図１の例では、正面側看板５１の表示面５１Ａには、トレーラーハウス１によって実現されているコインランドリーの店の名前「ＡＢＣＤ  ＬＡＵＮＤＲＹ」が記載されている。
【００２０】
ここで、かかる正面側看板５１は、ハウジング３に収容されるように構成されている。かかる構成によれば、コインランドリーとして稼働している場合には立てられている正面側看板５１を、牽引車両によって移動される場合にはハウジング３に収容することによって、トンネルの天井等にぶつかることなく安全に公道を移動することができる。
【００２１】
また、本実施形態では、図２及び図３に示すように、ハウジング３には、背面側Ｂから表示面５２Ａを見ることができる背面側看板５２が設けられていてもよい。ここで、かかる背面側看板５２も、正面側看板５１と同様に、ハウジング３に収容されるように構成されている。なお、かかる背面側看板５２の表示面５２Ａには、正面側看板５１の表示面５１Ａと同じ内容が記載されていてもよいし、正面側看板５１の表示面５１Ａと異なる内容が記載されていてもよい。
【００２２】
本実施形態に係るトレーラーハウス１を用いてコインランドリーを実現する場合、かかるトレーラーハウス１の設置場所によっては、正面側Ｆで広告を行うだけではなく背面側Ｂでも広告を行うことが有効な場合がある。そのような場合には、かかる構成のように背面側看板５２を設けることによって、より効果的な集客効果を奏することができる。
【００２３】
図２に、正面用看板５１及び背面用看板５２が立っている状態のトレーラーハウス１の左側面図の一例を示し、図３に、正面用看板５１及び背面用看板５２がハウジング３に収容されている状態のトレーラーハウス１の左側面図の一例を示し、図４に、正面用看板５１及び背面用看板５２が立っている状態のトレーラーハウス１を天井面３５側から見た図の一例を示す。
【００２４】
図４に示すように、ハウジング３の天井面３５には、ハウジング３の正面側Ｆと背面側Ｂとの間の前後方向に延びる亙棒８１が設けられている。かかる亙棒８１は、図４に示すように、ハウジング３の側壁面３３と側壁面３４との間の左右方向に所定間隔を置いて複数設けられている。
【００２５】
また、ハウジング３の天井面３５には、図４に示すように、ハウジング３の左右方向に延びる４本のアングル６２Ａ１、６２Ａ２、７２Ａ１、７２Ａ２が設けられている。
【００２６】
さらに、ハウジング３の天井面３５には、図４に示すように、正面側看板５１を支えるように構成されている複数のアーム部材６１、及び、背面側看板５２を支えるように構成されている複数のアーム部材７１が設けられている。
【００２７】
以下、図４〜図６を参照して、亙棒８１とアングル６２Ａ１、６２Ａ２、７２Ａ１、７２Ａ２とアーム部材６１、７１との配置関係について説明する。
【００２８】
第１に、図５（ａ）〜図５（ｃ）を参照して、亙棒８１とアングル７２Ａ２との交差している部分Ｘ１における部材の配置関係を説明する。なお、亙棒８１とアングル６２Ａ１との交差している部分や、亙棒８１とアングル６２Ａ２との交差している部分や、亙棒８１とアングル７２Ａ２との交差している部分や、亙棒８１とアングル７２Ａ２との交差している他の部分についても、基本的に、部分Ｘ１における部材の配置関係と同等である。
【００２９】
図５（ｂ）に示すように、亙棒８１は、ハウジング３の天井面３５において上方向に隆起する形状（凸形状）を有している。例えば、亙棒８１は、図５（ｂ）に示すように、ハウジング３の前後方向に延びる木材（角材）８１Ａの外周を鉄板８１Ｂで覆うことによって形成されていてもよい。
【００３０】
また、図５（ｂ）に示すように、アングル７２Ａ２は、亙棒８１に取り付けられている金具７１Ａ２に固定されている。なお、図５（ｂ）及び図５（ｃ）に示すように、アングル７２Ａ２は、Ｌ字形状を有している。
【００３１】
ここで、図５（ｂ）及び図５（ｃ）に示すように、金具７１Ａ２は、釘やボルト等の固定具７１０Ａ２によって亙棒８１に取り付けられている。なお、金具７１Ａ２の側面には、固定具７１０Ａ２を通すための穴（図示せず）が形成されており、かかる穴において固定具７１０Ａ２を通す位置を調整することによって、金具７１Ａ２の高さＨを調整することができる。
【００３２】
第２に、図６（ａ）及び図６（ｂ）を参照して、アーム部材６１がアングル６２Ａ１に固定されている部分Ｘ２における部材の配置関係を説明する。なお、アーム部材７１がアングル７２Ａ１に固定されている部分や、アーム部材６１がアングル６２Ａ１に固定されている他の部分についても、基本的に、部分Ｘ２における部材の配置関係と同等である。また、アーム部材６１がアングル６２Ａ２に固定されている場合の部材の配置関係や、アーム部材７１がアングル７２Ａ２に固定されている場合の部材の配置関係についても、基本的に、部分Ｘ２における部材の配置関係と同等である。
【００３３】
図６（ａ）及び図６（ｂ）に示すように、アーム部材６１は、アングル６２Ａ１上に取り付けられている金具６１Ａ１に対して、固定具６１０Ａ１によって固定されている。図６（ｂ）に示すように、金具６１Ａ１は、Ｌ字形状を有している。
【００３４】
なお、図２〜図４に示すように、本実施形態では、ハウジング３の前後方向における位置関係として、正面側Ｆから背面側Ｂにかけて、金具７１Ａ２、金具６１Ａ１、金具６１Ａ２、金具７１Ａ１の順番で設けられている。しかしながら、本発明は、かかるケースに限定されることはなく、例えば、金具７１Ａ２及び金具６１Ａ１のハウジング３の前後方向における位置関係が反対になっていてもよいし、金具７１Ａ１及び金具６１Ａ２のハウジング３の前後方向における位置関係が反対になっていてもよい。
【００３５】
図３に示すように、正面側看板５１は、ハウジング３の背面側Ｂに折り畳まれることによってハウジング３の天井面３５に収容されるように構成されていてもよい。また、背面側看板５２も、ハウジング３の正面側Ｆに折り畳まれることによってハウジング３の天井面３５に収容されるように構成されていてもよい。
【００３６】
ここで、図２及び図３を参照して、正面側看板５１及び背面側看板５２がハウジング３に収容される様子の一例について説明する。図２は、正面側看板５１及び背面側看板５２が立てられている状態におけるトレーラーハウス１の左側面図の一例であり、図３は、正面側看板５１及び背面側看板５２がハウジング３に収容されている状態におけるトレーラーハウス１の左側面図の一例である。
【００３７】
図２に示すように、正面側看板５１及び背面側看板５２が立てられている状態では、正面側看板５１を支えるアーム部材６１は、アングル６２Ａ１上に取り付けられている金具６１Ａ１に固定されており、背面側看板５２を支えるアーム部材７１は、アングル７２Ａ１上に取り付けられている金具７１Ａ１に固定されている。
【００３８】
その後、アーム部材６１を金具６１Ａ１から外してアングル６２Ａ２上に取り付けられている金具６１Ａ２に固定すると共に、アーム部材７１を金具７１Ａ１から外してアングル７２Ａ２上に取り付けられている金具７１Ａ２に固定することによって、正面側看板５１及び背面側看板５２をハウジング３に収容する。ここで、正面側看板５１には、正面側看板５１を背面側Ｂに折り畳むことを可能とする金具５１Ｂが取り付けられており、背面側看板５２には、背面側看板５２を正面側Ｆに折り畳むことを可能とする金具５２Ｂが取り付けられている。
【００３９】
かかる構成によれば、複雑な構造を用いることなく、正面側看板５１及び背面側看板５２が立てられている状態と、正面側看板５１及び背面側看板５２がハウジング３に収容されている状態途を切り替えることができる。
【００４０】
なお、正面側看板５１は、ハウジング３の正面側Ｆに折り畳まれることによってハウジング３の正面の側壁面３１に収容されるように構成されていてもよいし、下方向にスライドすることによってハウジング３の正面の側壁面３１に収容されるように構成されていてもよい。
【００４１】
同様に、背面側看板５２は、ハウジング３の背面側Ｂに折り畳まれることによってハウジング３の背面の側壁面３２に収容されるように構成されていてもよいし、下方向にスライドすることによってハウジング３の背面の側壁面３２に収容されるように構成されていてもよい。
【符号の説明】
【００４２】
１…トレーラーハウス
２…トレーラー
３…ハウジング
４…ランドリー設備
５…ジャッキ
２１…タイヤ
２２…連結部
３１〜３４…側壁面
３５…天井面
３６…床面
５１…正面側看板
５２…背面側看板
５１Ａ、５２Ａ…表示面
５１Ｂ、５２Ｂ、６１Ａ１、６１Ａ２、７１Ａ１、７１Ａ２…金具
６１０Ａ１、６１０Ａ２、７１０Ａ１、７１０Ａ２…固定具
６１、７１…アーム部材
６２Ａ１、６２Ａ２、７２Ａ１、７２Ａ２…アングル
８１…亙棒
【図１】
2017081494.tif 000003
【図２】
2017081494.tif 000004
【図３】
2017081494.tif 000005
【図４】
2017081494.tif 000006
【図５】
2017081494.tif 000007
【図６】
2017081494.tif 000008